(57)【要約】【課題】加飾部分が容器本体や蓋体から部分的にでも剥がれたり、また脱落したりすることがないという要請に応えることができ、かつまた購買者が好みに応じて外観を選ぶことができる自由度を高めることが可能な化粧料容器を提供する。【解決手段】容器本体３に回動自在に連結されるヒンジブロック１３を有して当該容器本体３を開閉する蓋体６を備えた化粧料容器１において、蓋体６にこれを覆って交換可能に設けられる交換用カバー７と、ヒンジブロック１３に、交換用カバー７へ向かって形成された貫通孔２１と、貫通孔２１内に形成された第２係合体１６ａと、交換用カバー７に形成され、貫通孔２１内に挿入されて第２係合体１６ａと係脱自在に係合する第２被係合体１６ｂとを備えた。【選択図】　　　　　図１
2004081593.tif 000002
【特許請求の範囲】
【請求項１】
容器本体に回動自在に連結されるヒンジ部を有して当該容器本体を開閉する蓋体を備えた化粧料容器において、
上記蓋体にこれを覆って交換可能に設けられる交換用カバーと、上記ヒンジ部に、上記交換用カバーへ向かって形成された貫通孔と、該貫通孔内に形成された係合体と、上記交換用カバーに形成され、上記貫通孔内に挿入されて上記係合体と係脱自在に係合する被係合体とを備えたことを特徴とする化粧料容器。
【発明の詳細な説明】
【０００１】
【発明の属する技術分野】
本発明は、加飾部分が容器本体や蓋体から部分的にでも剥がれたり、また脱落したりすることがないという要請に応えることができ、かつまた購買者が好みに応じて外観を選ぶことができる自由度を高めることが可能な化粧料容器に関する。
【０００２】
【従来の技術】
一般に化粧料容器は、化粧料を収納する容器本体と、この容器本体を開いたり閉じたりする蓋体とを備えて構成されている。そして化粧料容器の外観をなすこれら容器本体や蓋体に対しては、そのデザイン性を高めるために、従来からさまざまな方法によって加飾が施されている。例えば、スパッタリングなどによって表面処理を行ったり、転写シートを用いて文字や模様などを転写したり、あるいは模様などを付した上に透明・半透明の層を重ねたりするなどして、容器本体や蓋体に装飾を施すようにしていた。
【０００３】
【発明が解決しようとする課題】
ところで、従来の化粧料容器にあっては、製品としての化粧料容器を高級感溢れる高い品質で提供するという目的で、加飾部分が容器本体や蓋体から部分的にでも剥がれたり、また脱落したりすることがないように、上記いずれの加飾方法にあっても、容器本体や蓋体に対し加飾部分が一体不可分となるように互いに分離不能に一体的に形成しなければならないという要請があった。このような要請は反面、化粧料容器の外観が生産者の選定したデザインに限定されることを意味し、購買者が化粧料容器の意匠的外観を、好みに応じて自由に選べるようにすることを妨げていた。このため、購買者は気に入ったデザインの化粧料容器を見つけることができず、これが買い控えの一因になっていたと考えられる。
【０００４】
本発明は上記従来の課題に鑑みて創案されたものであって、加飾部分が容器本体や蓋体から部分的にでも剥がれたり、また脱落したりすることがないという要請に応えることができ、かつまた購買者が好みに応じて外観を選ぶことができる自由度を高めることが可能な化粧料容器を提供することを目的とする。
【０００５】
【課題を解決するための手段】
本発明にかかる化粧料容器は、容器本体に回動自在に連結されるヒンジ部を有して当該容器本体を開閉する蓋体を備えた化粧料容器において、上記蓋体にこれを覆って交換可能に設けられる交換用カバーと、上記ヒンジ部に、上記交換用カバーへ向かって形成された貫通孔と、該貫通孔内に形成された係合体と、上記交換用カバーに形成され、上記貫通孔内に挿入されて上記係合体と係脱自在に係合する被係合体とを備えたことを特徴とする。これにより、加飾部分が容器本体や蓋体から部分的にでも剥がれたり、また脱落したりすることがないという要請に応えることができ、かつまた購買者が好みに応じて外観を選ぶことができる自由度を高めることが可能となる。
【０００６】
【発明の実施の形態】
以下に、本発明にかかる化粧料容器の好適な一実施形態を、添付図面を参照して詳細に説明する。本実施形態にかかる化粧料容器１は図１〜図３に示すように、収納凹部２が形成された皿状の合成樹脂製容器本体３と、容器本体３の一端にヒンジ４を介して上下方向へ回動自在に連結されて容器本体３を開閉するとともに、容器本体３の他端にフック５を介して係脱自在に係合されて当該容器本体３の閉止状態を維持する板体状の合成樹脂製の蓋体６と、蓋体６に着脱自在に設けられ、交換可能に蓋体６を覆う板体状の合成樹脂製の交換用カバー７とから主に構成される。図示例にあっては、これら容器本体３、蓋体６、並びに交換用カバー７は平面外形輪郭が矩形状に形成されるけれども、多角形状や円形状であってもよい。蓋体６の裏面には、鏡８が取り付けられている。
【０００７】
フック５は、容器本体３の一端に形成された凹所９内に突設されたフック用突起１０と、蓋体６の一端から垂下されてフック用突起１０に係脱自在に係合されるフック片１１とから構成される。またヒンジ４は、フック５とは反対側において容器本体３の他端から一対突設されたヒンジ片１２間に、蓋体６の他端から垂下させたヒンジ部としてのヒンジブロック１３が挟み込まれ、これらヒンジブロック１３からヒンジ片１２にわたってヒンジピン１４が挿入されることで構成され、ヒンジブロック１３はヒンジピン１４によりヒンジ片１２を介して容器本体３に回動自在に連結される。
【０００８】
交換用カバー７は、化粧料容器１、本実施形態にあっては蓋体６の意匠的外観を購買者が好みに応じて自由に選べるように、各種のさまざまな加飾が施されたものが用意されるようになっている。これら交換用カバー７に施される加飾部分は、部分的にでも剥がれたり、また脱落したりすることがないように、交換用カバー７に対し一般周知の方法によって一体不可分に分離不能に一体的に形成される。これら交換用カバー７は、その外形輪郭が容器本体３の外形輪郭と一致するようにほぼ同じ外形寸法で形成されるとともに、この交換用カバー７が取り付けられる蓋体６は、取り付け代を確保するためにこれらよりも若干小さな外形寸法で形成され、交換用カバー７はこの蓋体６の上にこれを覆って重ね合わされる。交換用カバー７の材質は合成樹脂製に限らず、金属製であってもよい。
【０００９】
交換用カバー７と蓋体６との間には、これらを係脱自在に係合する係合手段として、第１係合部１５および第２係合部１６が設けられる。これら係合部１５，１６は、蓋体６の両端であるフック５側およびヒンジ４側にそれぞれ位置される。蓋体６のフック５周辺およびヒンジ４周辺は、容器本体３側へ拡張形成されていて、蓋体６の一般部分よりも広いスペースが得られる。フック５側の第１係合部１５は、蓋体６側の第１係合体１５ａと交換用カバー７側の第１被係合体１５ｂとから構成される。第１係合体１５ａは、フック片１１が位置する蓋体６の一側縁全体をヒンジ４側へ向かって段違いに窪ませた凹部１７の上に、この凹部１７を部分的に覆うように突出させて形成される。また第１被係合体１５ｂは、第１係合体１５ａ側の交換用カバー７の一側縁全体を垂下させた垂下部１８から、第１係合体１５ａに対応する部分を当該第１係合体１５ａ下の凹部１７に向かって突出させて形成される。
【００１０】
これら第１係合体１５ａと第１被係合体１５ｂは、交換用カバー７を蓋体６の上から重ね合わせることによって、第１被係合体１５ｂが第１係合体１５ａを乗り越えてその下の凹部１７内に入り込むことにより、互いに係脱自在に係合されるようになっている。特に、乗り越える過程で第１被係合体１５ｂが第１係合体１５ａと向かい合う面は、その乗り越えをスムーズにするためにテーパ面１９で形成される一方で、係合状態で互いに噛み合う第１係合体１５ａと第１被係合体１５ｂの隅角部同士２０は、互いの係合が外れにくいように角をつけて形成される。
【００１１】
ヒンジ４側の第２係合部１６も第１係合部１５と同様に、蓋体６側の第２係合体１６ａと交換用カバー７側の第２被係合体１６ｂとから構成される。ヒンジブロック１３には、その下端から蓋体６上に重ね合わされる交換用カバー７へ向かって上下方向に貫通孔２１が形成され、この貫通孔２１によってヒンジブロック１３には部分的に、内壁部１３ａと外壁部１３ｂとが形成される。そして外壁部１３ｂにはこれより貫通孔２１内へ突出させて第２係合体１６ａが形成される。他方、交換用カバー７には、そのヒンジ側端縁全体を蓋体６側に向かって垂下させて、蓋体６のヒンジ側端縁全体に形成された凹所２２に嵌め合わされる垂下部２３が形成されるとともに、この垂下部２３よりも内側には、貫通孔２１内に挿入されて第２係合体１６ａと係脱自在に係合される第２被係合体１６ｂが形成される。
【００１２】
本実施形態にあっては、交換用カバー７にはこれより貫通孔２１内に垂下させてバネ性を発揮する可撓変形自在なベント片２４が形成され、このベント片２４の下端に、第２係合体１６ａと向かい合うように突出させて第２被係合体１６ｂが形成される。これら第２係合体１６ａと第２被係合体１６ｂも、交換用カバー７を蓋体６の上から重ね合わせると、第２被係合体１６ｂが第２係合体１６ａを乗り越えて互いに係脱自在に係合されるようになっている。この第２係合部１６にあっては、乗り越える過程で第２係合体１６ａおよび第２被係合体１６ｂが互いに向かい合う面は、その乗り越えをスムーズにするためにテーパ面２５，２６で形成される一方で、係合状態で互いに噛み合う第２係合体１６ａと第２被係合体１６ｂの隅角部同士２７は、互いの係合が外れにくいように角をつけて形成される。また第２被係合体１６ｂのテーパ面２６については、貫通孔２１を介してヒンジブロック１３の下端からの操作が可能であって、第２係合部１６の係合を離脱させる際の操作部としても機能する。
【００１３】
本実施形態にかかる化粧料容器１の作用について説明すると、化粧料容器１を購入した購買者が蓋体６に装着されている交換用カバー７を、他のデザインの新たな交換用カバー７に交換する際には、蓋体６で容器本体３を閉じている状態で、ヒンジブロック１３の下端から貫通孔２１内へ第２被係合体１６ｂのテーパ面２６に向かって、例えばコインなどの操作用の物品Ｃを挿抜自在に挿入する。当該物品Ｃでテーパ面２６を押圧操作すると、ベント片２４の可撓変形を伴って第２被係合体１６ｂは第２係合体１６ａから離脱され、その後交換用カバー７を蓋体６に対して引き上げるようにする。このようにして第２係合部１６を離脱させて交換用カバー７を蓋体６から分離させると、第１係合部１５の第１係合体１５ａと第１被係合体１５ｂとの係合を離脱させることができ、交換用カバー７を蓋体６から取り外すことができる。
【００１４】
次いで新たな交換用カバー７を蓋体６に装着する際には、第１係合部１５を係合させた状態で、第２係合部１６側において交換用カバー７を蓋体６に向かって押し付ければ、ベント片２４の可撓変形を伴って、第２被係合体１６ｂが第２係合体１６ａと係合し、これにより新しい交換用カバー７を蓋体６に重ね合わせて取り付けることができる。
【００１５】
以上説明したように本実施形態にかかる化粧料容器１にあっては、蓋体６にこれを覆って交換可能に設けられる交換用カバー７と、ヒンジブロック１３に、交換用カバー７へ向かって形成された貫通孔２１と、貫通孔２１内に形成された第２係合体１６ａと、交換用カバー７に形成され、貫通孔２１内に挿入されて第２係合体１６ａと係脱自在に係合する第２被係合体１６ｂとを備えたので、化粧料容器１の外観が生産者の選定したデザインに限定されることがなく、化粧料容器１として、購買者が好みに応じて外観を自由度高く選ぶことができ、これにより購買意欲を高め得るものとすることができる。また交換用カバー７としては、従来の蓋体などと同様に、加飾部分を一体不可分に互いに分離不能に一体的に形成すればよく、従って加飾部分が交換用カバー７から部分的にでも剥がれたり、また脱落したりすることがなくて、製品としての化粧料容器１を、従来と遜色のない高級感溢れる高い品質で提供することができる。
【００１６】
また、交換用カバー７と蓋体６との間にこれらを係脱自在に係合する第１係合部１５および第２係合部１６を設けていて、これら係合部１５，１６の係脱操作によって、簡単に交換用カバー７の交換をすることができる。特に、ヒンジブロック１３に形成した貫通孔２１内に第２係合部１６を設けていて、ヒンジブロック１３を利用することで、化粧料容器１の外形寸法を大きくすることなく、合理的に第２係合部１６を備えることができる。また、貫通孔２１をヒンジブロック１３の下端から交換用カバー７に向かって形成するようにしたので、交換操作位置となる貫通孔２１は化粧料容器１の底部もしくは裏側に開口されて目立つことはなく、化粧料容器１の外観を良好に保つことができる。また、交換用カバー７に可撓変形自在なベント片２４を形成してこれに第２被係合体１６ｂを設けたので、ベント片２４の可撓変形作用を利用して、第２係合部１６の係脱操作の操作性を向上させることができる。
【００１７】
図４には、上記実施形態の変形例が示されている。この変形例では、第２係合体１６ａと第２被係合体１６ｂとが係合する向きを反対とするように、ヒンジブロック１３の内壁部１３ａに第２係合体１６ａが形成されている。このような変形例にあっても、上記実施形態と同様の作用・効果を奏することはもちろんである。
【００１８】
【発明の効果】
以上要するに、本発明にかかる化粧料容器にあっては、加飾部分が容器本体や蓋体から部分的にでも剥がれたり、また脱落したりすることがないという要請に応えることができ、かつまた購買者が好みに応じて外観を選ぶことができる自由度を高めることができる。
【図面の簡単な説明】
【図１】本発明にかかる化粧料容器の好適な一実施形態を示す側断面図である。
【図２】図１の化粧料容器において、交換用カバーを取り外す過程を示すヒンジ周辺の部分拡大側断面図である。
【図３】図１の化粧料容器において、交換用カバーを取り外す過程を示すヒンジ周辺の部分拡大斜視図である。
【図４】本発明にかかる化粧料容器の変形例を示す側断面図である。
【符号の説明】
１　化粧料容器　　　　　　　　　　　３　容器本体
６　蓋体　　　　　　　　　　　　　　７　交換用カバー
１３　ヒンジブロック　　　　　　　　１６ａ　第２係合体
１６ｂ　第２被係合体　　　　　　　　２１　貫通孔
【図１】
2004081593.tif 000003
【図２】
2004081593.tif 000004
【図３】
2004081593.tif 000005
【図４】
2004081593.tif 000006